【手続補正書】
【提出日】平成16年3月9日(2004.3.9)
【手続補正１】
【補正対象書類名】特許請求の範囲
【補正対象項目名】全文
【補正方法】変更
【補正の内容】
【特許請求の範囲】
【請求項１】
電子デバイスであって：
前記電子デバイスに、
概してユーザの言葉表現に対応する音声を入力するマイクロフォン；
概して前記ユーザの言葉表現に対応する唇イメージを入力するカメラ；
を備え、前記マイクロフォンおよびカメラは、前記電子デバイスに取り付けられる物体上にマウントされ、それにおいて、前記物体は、収縮したポジションから拡張されたポジションまで前記電子デバイスと相対的に動き、前記マイクロフォンおよび前記カメラがユーザの口に向かって延びるように構成されているものとし；かつ、
前記デバイスに信号を入力するキーパッド・ユニットを備え、前記キーパッドの少なくともいくつかのキーに対して、少なくとも数字および／または言語のアルファベット・キャラクタを包含する記号グループが割り当てられており、それにおいて前記マイクロフォン、前記カメラ、および前記キーパッドが、前記キーパッドのキーに割り当てられている記号を入力するためのデータ入力システムにおいて、前記キーを操作し、かつ概して同時に、前記記号に対応する言葉表現を提供することによって使用されるものとする、電子デバイス。
【請求項２】
前記物体は、前記電子デバイスに対して望ましいポジションまでそれが延長されたときに、前記物体が独立に前記ポジションにとどまるべく堅い材料から作られるものとする、特許請求の範囲第１項に記載のデバイス。
【請求項３】
前記物体は、閉じたポジションと開いたポジションの間において、互いに対して動く少なくとも２セクションを含むマルチ−セクション物体であるとする、特許請求の範囲第１項に記載の電子デバイス。
【請求項４】
前記マイクロフォンは、前記電子デバイスに接続される外付けユニットとして作られるものとする、特許請求の範囲第１項に記載の電子デバイス。
【請求項５】
データの入力および／または操作を行うためのユニットを有する電子デバイスであって：
前記電子デバイスのおもて側に配置される少なくとも１つのキーパッドを備え、それにおいて前記キーパッドの少なくともいくつかのキーに対して、少なくとも数字および／または言語のアルファベット・キャラクタを包含する記号グループが割り当てられているものとし；かつ、
前記電子デバイスの裏側に配置されるポインティング・コンポーネントを備え、それにおいて前記ポインティング・コンポーネントは、前記電子デバイスの少なくとも１つのディスプレイ・ユニット上のポインタを操作し、前記キーパッドの少なくとも１つのキーが、ＰＣマウスの機能を複製するべく前記ポインティング・コンポーネントと協働して機能するものとする、電子デバイス。
【請求項６】
前記キーパッドおよび前記ポインティング・デバイスは、前記電子デバイス内に配置され、その結果、ユーザが前記電子デバイスを片手で保持する間に、前記ポインティング・デバイスが前記手の人差し指によって操作され、前記キーパッドが前記手の拇指によって操作されるものとする、特許請求の範囲第５項に記載のデバイス。
【請求項７】
前記電子デバイスは、展開可能ディスプレイ・ユニットを備え、それにおいて前記ディスプレイ・ユニットは、開いたポジションにあるとき、前記ディスプレイ・ユニットの少なくとも一部が前記電子デバイスの本体の外に広がり、前記電子デバイスの長さ方向の軸に対して概略で直交するポジションとなる拡張されたディスプレイ・ユニットを提供する、特許請求の範囲第５項に記載のデバイス。
【請求項８】
前記電子デバイスは、別の電子デバイスのデータ入力ユニットとして使用されるものとする、特許請求の範囲第５項に記載のデバイス。
【請求項９】
前記データ入力ユニットおよび前記別の電子デバイスは、ワイヤレス通信システムを構成して互いに通信するものとする、特許請求の範囲第８項に記載のデバイス。
【請求項１０】
前記データ入力ユニットおよび前記別の電子デバイスは、それぞれディスプレイ・ユニットを備えるものとする、特許請求の範囲第８項に記載のデバイス。
【請求項１１】
前記データ入力ユニットの前記ディスプレイ・ユニットは、前記別の電子デバイスの前記ディスプレイ・ユニット上に表示されているイメージの少なくとも一部を複製するものとする、特許請求の範囲第１０項に記載のデバイス。
【請求項１２】
前記別の電子デバイスの前記ディスプレイ・ユニットの一部は、前記データ入力ユニットの前記ディスプレイ・ユニット上に表示されているイメージを複製するものとする、特許請求の範囲第１０項に記載のデバイス。
【請求項１３】
前記データの入力または操作を行うためのユニットを使用して、ユーザが、離れた場所から、前記別の電子デバイスの前記ディスプレイ・ユニット上におけるデータの入力および／または操作を行うことができるものとする、特許請求の範囲第１１および１２項に記載のデバイス。
【請求項１４】
前記電子デバイスは、さらに、音声による情報を前記デバイスに入力するマイクロフォンを備え、前記マイクロフォンは、前記電子デバイスに取り付けられる物体上にマウントされ、前記物体は、収縮したポジションから拡張されたポジションまで前記電子デバイスと相対的に動き、前記マイクロフォンがユーザの口に向かって延びるように構成されており、それにおいて前記物体は、前記電子デバイスに対して望ましいポジションまでそれが延長されたときに、前記物体が独立に前記ポジションにとどまるべく堅い材料から作られるものとする、特許請求の範囲第５項に記載の電子デバイス。
【請求項１５】
前記電子デバイスは、複数の別の電子デバイスのデータ入力ユニットとして使用されるものとする、特許請求の範囲第５項に記載のデバイス。
【請求項１６】
前記データ入力ユニットを前記複数の別の電子デバイスのそれぞれに接続するためにアクセス・コードが求められるものとする、特許請求の範囲第１５項に記載のデバイス。
【請求項１７】
前記デバイスは、前記キーパッドのキーに割り当てられている記号を、少なくとも、前記キーとのインタラクションを提供すること、および概して同時に前記記号に対応する言葉表現を提供することを含む手続きによって入力するためのデータ入力システムに使用されるものとする、先行する特許請求の範囲の請求項のいずれかに記載のデバイス。
【請求項１８】
少なくとも１つの言語における、少なくともアルファベット・キャラクタ、区切りマーク・キャラクタ、およびコマンドを表すあらかじめ定義済みの数の記号が、より少ないあらかじめ定義済みの数の、概してキーとする物体に割り当てられ、結果として前記物体の少なくとも１つに対する少なくとも２つの前記記号の割り当てがもたらされ；それにおいて、
前記あらかじめ定義済みの数の記号は、概して少なくとも２つの記号グループを構成し、各グループは；
第１のグループが、概して前記言語のアルファベット記号および／またはより頻繁に使用される記号を含み、かつ
第２のグループが、概してあまり使用されない記号を含むように、前記記号の少なくとも一部を包含し；
それにおいて前記記号は、データ／テキスト入力システムにおいて少なくともキャラクタ毎キャラクタで使用されて、前記物体の１つに割り当てられた前記記号の１つが、少なくとも１つの追加の情報の存在／非存在下における少なくとも前記物体とのあらかじめ定義済みのインタラクションの提供を構成する手続きによって入力され、前記追加の情報は、前記物体とのインタラクションを必要としないものであり、それにおいて前記追加の情報は、概して前記記号に対応する言葉表現であり；かつ、
前記追加の情報の前記存在／非存在は、前記物体および前記物体との前記あらかじめ定義済みのインタラクションに割り当てられた記号のうちの前記記号を入力する情報を提供し、それにおいて前記あらかじめ定義済みのインタラクションを；
前記記号が前記第１の記号グループに属するときは、好ましいあらかじめ定義済みのインタラクションとし、
前記記号が前記第２の記号グループに属するときは、別のあらかじめ定義済みのインタラクションとする。
【請求項１９】
前記第１の記号グループは、さらに、区切りマークおよび／または機能を含むものとする、特許請求の範囲第１８項に記載のデータ入力システム。
【請求項２０】
前記第１の記号グループは、さらに、頻繁に使用されるテキストを編集するためのコマンドを含むものとする、特許請求の範囲第１８項に記載のデータ入力システム。
【請求項２１】
前記第２の記号グループは、区切りマーク・キャラクタおよび／またはコマンドを含むものとする、特許請求の範囲第１８項に記載のデータ入力システム。
【請求項２２】
前記コマンドは、ＰＣコマンドを含むものとする、特許請求の範囲第２１項に記載のデータ入力システム。
【請求項２３】
前記あらかじめ定義済みのインタラクションは、もっとも容易な前記物体とのインタラクション方法であるとする、特許請求の範囲第１８項に記載のデータ入力システム。
【請求項２４】
キーに割り当てられる、前記第１の記号グループに属するあらかじめ定義済みの記号は、前記キーとの前記好ましいあらかじめ定義済みのインタラクションを、前記言葉表現なしに提供することからなる手続きによって入力されるものとする、特許請求の範囲第１８項に記載のデータ入力システム。
【請求項２５】
前記手続きによって入力される前記記号は、実生活のテキスト／データ入力状況において通常は言葉表現されることのないものとする、特許請求の範囲第２４項に記載のデータ入力システム。
【請求項２６】
キーに割り当てられる、前記第１の記号グループに属する記号は、前記キーとの第１の好ましいあらかじめ定義済みのインタラクションを提供すること、および前記言葉表現を提供することからなる手続きによって入力されるものとする、特許請求の範囲第１８項に記載のデータ入力システム。
【請求項２７】
前記手続きによって入力される前記記号は、実生活のテキスト／データ入力状況において自然に言葉表現され得るものとする、特許請求の範囲第２６項に記載のデータ入力システム。
【請求項２８】
前記記号は、アルファベット・キャラクタであるとする、特許請求の範囲第２７項に記載のデータ入力システム。
【請求項２９】
実生活のテキスト／データ入力状況において自然に言葉表現される／言葉表現されない記号は、両方の前記手続きのよって入力され得る、特許請求の範囲第２５および２７項に記載のデータ入力システム。
【請求項３０】
前記記号の１つは、記号『．』であり、『ドット』または『ポイント』と言葉表現されるか、または句の末尾に生じる場合には言葉表現されないものとする、特許請求の範囲第２９項に記載のデータ入力システム。
【請求項３１】
キーに割り当てられる、前記第２の記号グループに属するあらかじめ定義済みの記号は、前記キーとの前記別のあらかじめ定義済みのインタラクションを、前記言葉表現なしに提供することからなる手続きによって入力されるものとする、特許請求の範囲第１８項に記載のデータ入力システム。
【請求項３２】
前記手続きによって入力される前記記号は、実生活のテキスト／データ入力状況において通常は言葉表現されることのないものとする、特許請求の範囲第３１項に記載のデータ入力システム。
【請求項３３】
キーに割り当てられる、前記第２の記号グループに属する記号は、前記キーとの前記別のあらかじめ定義済みのインタラクションを提供すること、および前記言葉表現を提供することからなる手続きによって入力されるものとする、特許請求の範囲第１８項に記載のデータ入力システム。
【請求項３４】
前記記号は、あまり使用されない記号であるとする、特許請求の範囲第３３項に記載のデータ入力システム。
【請求項３５】
前記キーとの前記好ましい／別のインタラクションは、それぞれ、前記キーの１回のキー押し、および２回のキー押しであるとする、特許請求の範囲第１８〜３４項に記載のデータ入力システム。
【請求項３６】
前記キーとの前記好ましい／別のインタラクションは、それぞれ、前記キーの軽いキー押し、および強いキー押しであるとする、特許請求の範囲第１８〜３４項に記載のデータ入力システム。
【請求項３７】
前記キーとの前記好ましい／別のインタラクションは、それぞれ、第１および／または第２のあらかじめ定義済みの指を用いた前記キーのキー押しであるとする、特許請求の範囲第１８〜３４項に記載のデータ入力システム。
【請求項３８】
指による前記キーとの前記所定の／別のインタラクションは、前記指の生物学的特徴を基礎として認識されるものとする、特許請求の範囲第３７項に記載のデータ入力システム。
【請求項３９】
指による前記キーとの前記所定の／別のインタラクションは、前記指の指紋を基礎として認識されるものとする、特許請求の範囲第３７項に記載のデータ入力システム。
【請求項４０】
前記キーとの前記所定の／別のインタラクションは、少なくとも１本の指の２つの異なる部位を用いた前記キーのキー押しであるとする、特許請求の範囲第１８〜３９項に記載のデータ入力システム。
【請求項４１】
前記指の部分を用いたキーとの所定の／別のインタラクションは、前記キーを押すユーザの指の部分の特徴の認識を基礎として認識されるものとする、特許請求の範囲第４０項に記載のデータ入力システム。
【請求項４２】
前記キーとの前記所定の／別のインタラクションは、前記キーを押すこと、およびそれぞれ、より短い時間期間およびより長い時間期間の後にそれを放すことであるとする、特許請求の範囲第１８項に記載のデータ入力システム。
【請求項４３】
前記より少ない数の物体は、少数のキーであるとする、特許請求の範囲第１８項に記載のデータ入力システム。
【請求項４４】
前記キーの少なくとも一部は、電子デバイスのキーパッドのキーであるとする、特許請求の範囲第１８項に記載のデータ入力システム。
【請求項４５】
前記電子デバイスは、さらに前記キーパッドとは別に配置される、前記記号の一部を含む追加のキーを備えるものとする、特許請求の範囲第４４項に記載のデータ入力システム。
【請求項４６】
前記データ入力システムは、前記あらかじめ定義済みの数の記号の少なくとも一部を含む少なくとも第３の記号グループを含み、それにおいて前記第３の記号グループの記号は、前記言葉表現あり／言葉表現なしの、それと対応する物体との第３のあらかじめ定義済みのインタラクションに割り当てられるものとする、特許請求の範囲第１８項に記載のデータ入力システム。
【請求項４７】
前記第３のあらかじめ定義済みのインタラクションは、前記キーの２つを同時に押すこととする、特許請求の範囲第４６項に記載のデータ入力システム。
【請求項４８】
前記言葉表現は、前記記号の言葉表現を行うこととする、特許請求の範囲第１８〜４７項に記載のデータ入力システム。
【請求項４９】
前記グループのいくつかは、類似する記号を含むものとする、特許請求の範囲第１８項に記載のデータ入力システム。
【請求項５０】
前記記号は、前記手続きの１つに従って前記記号を繰り返し入力し、かつ前記キーの継続的なキー押しを維持し、その結果、システムが前記記号をあらかじめ定義済みの時間の区切りごとに前記記号を繰り返すことによって繰り返し入力され、それにおいては前記継続的なキー押し動作が終了すると前記記号の繰り返しが終了するものとする、特許請求の範囲第１８〜４９項に記載のデータ入力システム。
【請求項５１】
希望する記号に対応するキーが適正に押され、言葉表現が提供され、システムが誤った記号を提供したとき、前記記号の消去および同じ方法に従った再入力によって訂正の試みを提供することができ、それにおいてシステムは、前記誤って入力された記号を、音声認識システムによって前記言葉表現に対するもっとも良好な整合が得られた前記キーに割り当てられている別の記号を用いて置換するものとする、特許請求の範囲第１８項に記載のデータ入力システム。
【請求項５２】
記号の入力の間に、望ましい記号に対応するキーが適正に押され、言葉表現が提供され、システムが誤った出力を提供したとき、カーソルが前記誤った記号の直後に位置している間は、ユーザが前記キーを再度押すことなく前記希望する記号に対応する言葉表現を再度提供する訂正の試みを提供することができ、それにおいてシステムは、前記誤って入力された記号を、前記音声認識システムによって前記言葉表現に対するもっとも良好な整合が得られた前記キーに割り当てられている別の記号を用いて置換するものとする、特許請求の範囲第１８〜５１項に記載のデータ入力システム。
【請求項５３】
新しく認識された記号も誤りである場合に、ユーザは、前記対応する試みをさらに繰り返し、システムは、前記キーに割り当てられている記号の中から前記言葉表現に対するもっとも良好な整合が得られた別の記号を用いて前記誤って入力された記号を置換し、それにおいて前記別の記号は、以前の前記記号の前記入力の間に誤って入力された記号ではないものとする、特許請求の範囲第５２項に記載のデータ入力システム。
【請求項５４】
呼び出し相手に対応するテキスト情報を入力することによって電話呼び出しが提供される、特許請求の範囲第１８項に記載のデータ入力システム。
【請求項５５】
前記情報は、前記相手の名前であるとする、特許請求の範囲第５４項に記載のデータ入力システム。
【請求項５６】
さらに前記情報は、前記相手のアドレスであるとする、特許請求の範囲第５５項に記載のデータ入力システム。
【請求項５７】
前記データ入力システムは、電子デバイス内に組み込まれているものとする、特許請求の範囲第１８項に記載のデータ入力システム。
【請求項５８】
前記電子デバイスは、少なくとも別の電子デバイスのデータ入力ユニットであるとする、特許請求の範囲第５７項に記載のデータ入力システム。
【請求項５９】
前記データ入力システムは、手首装着電子デバイス内に組み込まれているものとする、特許請求の範囲第１８項に記載のデータ入力システム。
【請求項６０】
前記データ入力システムは、前記電子デバイスの手首バンド内に組み込まれるユニット／取り付けられるユニット内に組み込まれているものとする、特許請求の範囲第５９項に記載のデータ入力システム。
【請求項６１】
前記ユニットは、少なくとも別の手首装着電子デバイスのデータ入力ユニットであるとする、特許請求の範囲第６０項に記載のデータ入力システム。
【請求項６２】
前記データ入力ユニットおよび前記別の電子デバイスは、装着者の手首の周囲において反対側となる関係で配置されるものとする、特許請求の範囲第６１項に記載のデータ入力システム。
【請求項６３】
前記電子デバイスは、装着者の手首の周囲の別のデバイスに取り付けられるものとする、特許請求の範囲第５９項に記載のデータ入力システム。
【請求項６４】
前記別のデバイスは腕時計であるとする、特許請求の範囲第６３項に記載のデータ入力システム。
【請求項６５】
前記手首装着電子デバイスおよび前記腕時計は、装着者の手首の周囲において反対側となる関係で配置されるものとする、特許請求の範囲第６３および６４項に記載のデータ入力システム。
【請求項６６】
前記電子デバイスは、通信デバイスであるとする、特許請求の範囲第５７、５８、６４、および６５項に記載のデータ入力システム。
【請求項６７】
前記データ入力ユニットは、前記手首バンド内に着脱可能に組み込まれるものとする、特許請求の範囲第６０項に記載のデータ入力システム。
【請求項６８】
前記キーは、マルチ−セクション・キーパッドのキーの少なくとも一部であり、前記キーパッドは、少なくとも２つのそのセクション上に配置されたあらかじめ定義済みの数のキーを備え、それにおいて前記セクションの少なくとも１つがキーを含み、収縮したポジションから展開されたポジションに、前記キーを含むセクションを除く少なくとも１つに対して相対的に動き、それとともに拡張されたキーパッドを提供するものとする、特許請求の範囲第１８項に記載のデータ入力システム。
【請求項６９】
前記セクションのそれぞれのキーの少なくともいくつかに対して、数字／言語のアルファベット・キャラクタの異なるグループが、前記拡張されたキーパッドに対する前記数字／前記言語のアルファベット・キャラクタのすべての割り当てが提供される方法に従って割り当てられ、かつ前記数字／前記言語のアルファベット・キャラクタの前記すべてを入力するために、ユーザが前記拡張されたキーパッドの少なくとも２つのセクションのキーを使用しなければならないように割り当てられるものとする、特許請求の範囲第６８項に記載のデータ入力システム。
【請求項７０】
前記データ入力システムは、インタラクティブ・テキスト・システムを伴うインタラクティブ音声システムの置換／強化に使用されるものとする、特許請求の範囲第１８項に記載のデータ入力システム。
【請求項７１】
前記インタラクティブ・テキスト・システムの少なくとも一部が、前記データ入力ユニットのディスプレイ上にプリントされるものとする、特許請求の範囲第７０項に記載のデータ入力システム。
【請求項７２】
前記インタラクティブ音声システムは、インタラクティブ電話帳であるとする、特許請求の範囲第７０項に記載のデータ入力システム。
【請求項７３】
前記物体はユーザの指であり、前記あらかじめ定義済みのインタラクションは、前記指に与えられる形状および／または動きであるとする、特許請求の範囲第１８〜７２項に記載のデータ入力システム。
【請求項７４】
取り外し可能な電子デバイスを収容するハウジングを備えるブレスレットであって、別の手首装着ユニットに取り付けるべく構成されたブレスレット。
【請求項７５】
前記別の手首装着デバイスは腕時計であるとする、特許請求の範囲第７４項に記載のデバイス。
【請求項７６】
前記腕時計は、前記電子デバイスと独立して機能するものとする、特許請求の範囲第７５項に記載のデバイス。
【請求項７７】
前記電子デバイスは、テレコミュニケーション・デバイスであるとする、特許請求の範囲第７６項に記載のデータ入力システム。
【請求項７８】
前記電子デバイスは、さらに別の電子デバイスのデータ入力ユニットを備えるものとする、特許請求の範囲第７６項に記載のデータ入力システム。